(57)【要約】【課題】昇降路内で上から落ちてくる水および主ロープを伝わってくる水に対して、巻上機を効果的に防護する。【解決手段】本発明の実施形態による機械室を有しないマシンルームレスエレベータは、昇降路を昇降する乗りかご１０と、昇降路に少なくとも最下階の乗場床面よりも高い位置に配置される巻上機２０と、乗りかご１０の昇降に対応して昇降する釣合錘１４と、昇降路内で少なくとも最下階の乗場床面よりも高い位置に配置される制御装置と、昇降路内で下位に位置する一対の下部そらせシーブ３４、３５と上位に位置する一対の上部そらせシーブ３３、３７とからなる、そらせシーブと、を備えている。巻上機２０の下方に下部そらせシーブ３４、３５を配置し、巻上機のメインシーブに下方から主ロープ２６を巻き掛けるようにした。【選択図】図１
2018144977.tif 000002
【特許請求の範囲】
【請求項１】
機械室を有しないマシンルームレスエレベータにおいて、
昇降路を昇降する乗りかごと、
前記昇降路に少なくとも最下階の乗場床面よりも高い位置に配置される巻上機と、
前記乗りかごの昇降に対応して昇降する釣合錘と、
昇降路内で少なくとも最下階の乗場床面よりも高い位置に配置される制御装置と、
前記昇降路内で下位に位置する一対の下部そらせシーブと上位に位置する一対の上部そらせシーブとからなる、そらせシーブと、を備え、
前記巻上機の下方に前記下部そらせシーブを配置し、前記巻上機のメインシーブに下方から主ロープを巻き掛けるようにしたことを特徴とする非常用マシンルームレスエレベータ。
【請求項２】
前記乗りかごを懸架する主ロープの部分は、前記巻上機のメインシーブ、前記下部そらせシーブの一方、上部そらせシーブの一方、かご側シーブの順に引き回され、前記釣合錘を懸架する主ロープの部分は、前記巻上機のメインシーブ、前記下部そらせシーブの他方、前記上部そらせシーブの他方、釣合錘の上部に設置した錘側シーブの順に引き回されることを特徴とする請求項１に記載の非常用マシンルームレスエレベータ。
【請求項３】
前記巻上機は、錘側ガイドレールに取り付けられる箱形の防滴用カバーによって覆われたことを特徴とする請求項１または２に記載の非常用マシンルームレスエレベータ。
【請求項４】
前記巻上機を支持するブラケットには、主ロープとの直接接触を防止する緩衝部材が取り付けられることを特徴とする請求項１に記載の非常用マシンルームレスエレベータ。
【請求項５】
前記巻上機の直上に前記制御装置が配置されたことを特徴とする請求項１または３に記載の非常用マシンルームレスエレベータ。
【請求項６】
前記防滴用カバーは、前記制御装置を設置するブラケットと一体構造であることを特徴とする請求項５に記載の非常用マシンルームレスエレベータ。
【請求項７】
前記巻上機は、前記錘側ガイドレールにブラケットを介して固定され、または、ピットの底面に設置される設置台を介して固定されることを特徴とする請求項４に記載の非常用マシンルームレスエレベータ。
【発明の詳細な説明】
【技術分野】
【０００１】
本発明の実施形態は、非常用マシンルームレスエレベータに関する。
【背景技術】
【０００２】
我が国では、建築物の高さや床面積が一定条件を超える場合に、非常用エレベータを設置することが義務付けられている。非常用エレベータは、平常時は、乗客や荷物を輸送する通常の用途で使用されているが、火災発生時などの非常時には火災消火活動、かご室内に閉じ込められた乗客の救出作業に使用される。
【０００３】
近年では、昇降路の上部に機械室を設けずに、昇降路内に巻上機、制御装置を配置するマシンルームレスエレベータが普及しているが（例えば、特許文献１）、これまで、マシンルームレスエレベータを非常用エレベータに適用することは法令の規制によってできなかった。
【０００４】
最近になって、規制が緩和されて、非常用エレベータにマシンルームレスエレベータを適用することが一定の条件の下で認められるようになっている（国土交通省告示第1274号）。
【０００５】
例えば、特許文献２では、エレベータ制御装置や巻上機をカバーになる防水収納手段に収納することで、上から落ちてくる水の浸入を防止することを提案している。万一、火災が発生した場合、消火活動の放水によって上から降り注いでくる水に対しては、カバーによって防滴する防滴仕様にすることができる。
【先行技術文献】
【特許文献】
【０００６】
【特許文献１】特許第５３８７７５８号公報
【特許文献２】特許５３４９７４３号公報
【発明の概要】
【発明が解決しようとする課題】
【０００７】
しかしながら、従来の非常用マシンルームレスエレベータでは、巻上機のメインシーブに主ロープが上方から巻き掛けられるようにローピングされているのが通常である（例えば、特許文献１の図１参照）。
【０００８】
このようなローピングになっている非常用マシンルームレスエレベータでは、カバーなどで防滴仕様にしていても、主ロープを伝わって水が巻上機およびメインシーブに入り込んでくるので、実質的に水に対して無防備になってしまうという問題があった。
【０００９】
そこで、本発明は、前記従来技術の有する問題点に鑑みなされたものであって、昇降路内で上から落ちてくる水および主ロープを伝わってくる水に対して、巻上機を効果的に防護することができる合理的なローピングを有する非常用マシンルームレスエレベータを提供することを目的としている。
【課題を解決するための手段】
【００１０】
前記の目的を達成するために、本発明の実施形態に係る非常用マシンルームレスエレベータは、機械室を有しないマシンルームレスエレベータにおいて、昇降路を昇降する乗りかごと、前記昇降路に少なくとも最下階の乗場床面よりも高い位置に配置される巻上機と、
前記乗りかごの昇降に対応して昇降する釣合錘と、昇降路内で少なくとも最下階の乗場床面よりも高い位置に配置される制御装置と、前記昇降路内で下位に位置する一対の下部そらせシーブと上位に位置する一対の上部そらせシーブとからなる、そらせシーブと、を備え、  前記巻上機の下方に前記下部そらせシーブを配置し、前記巻上機のメインシーブに下方から主ロープを巻き掛けるようにしたことを特徴とするものである。
【図面の簡単な説明】
【００１１】
【図１】本発明の第1実施形態による非常用マシンルームレスエレベータを示す斜視図である。
【図２】図１において乗りかごを省略した昇降路を示す斜視図である。
【図３】本発明の第１実施形態による非常用マシンルームレスエレベータにおいてローピングを模式的に示す図である。
【図４】昇降路を上からみた平面図である。
【図５】本発明の第１実施形態による非常用マシンルームレスエレベータの巻上機の設置状況を示す斜視図である。
【図６】本発明の第２実施形態による非常用マシンルームレスエレベータを示す斜視図である。
【図７】図６において乗りかごを省略した昇降路を示す斜視図である。
【発明を実施するための最良の形態】
【００１２】
以下、本発明による非常用マシンルームレスエレベータの一実施形態について、添付の図面を参照しながら説明する。  
（第１実施形態）
図１は、本発明の実施形態による非常用マシンルームレスエレベータを示す斜視図である。図１において、参照番号１０は、乗りかごを示している。この図１では、乗りかご１０は、最上階のフロアに着床している位置に示されている。乗りかご１０では、外壁を形成する側板で囲まれてかご室が構成されている。図２は、図１に示した乗りかご１０を省略して、昇降路を表した斜視図である。
【００１３】
図１及び図２に示したマシンルームレスエレベータでは、上下方向に延びる一対のかご側ガイドレール１２が乗りかご１０の左右両側に配置されている。乗りかご１０は、かご側ガイドレール１２に案内されて昇降路を昇降する。
【００１４】
また、乗りかご１０の側面側には、一対の錘側ガイドレール１３が上下方向に延びるように配置されている。釣合錘１４は、錘側ガイドレール１３に案内されて乗りかご１０の昇降と対応（乗りかご１０が上昇するときは下降し、乗りかご１０が下降するときは上昇する）して昇降路を昇降する。図２において、釣合錘１４は、乗りかご１０の側面側に配置されている（いわゆる、横落ち型のマシンルームレスエレベータ）。ここで、乗りかご１０の側面とは、乗りかご１０のかごドアに向かって左右にある側面である。釣合錘１４の配置については、かごドアに対向する側面、すなわち乗りかご１０の背面側に配置することも可能である（いわゆる後落ち型のマシンルームレスエレベータ）。
【００１５】
錘側ガイドレール１３の頂部間には、そらせシーブ支持梁３９が架け渡されている。このそらせシーブ支持梁３９には、対をなす上部そらせシーブ３３、３７が載置されている。
【００１６】
一方、乗りかご１０の下部には、水平面内で前後左右方向に傾斜して延びるシーブ支持梁３１が配設されている。このシーブ支持梁３１の両端部には、一対のかご側シーブ３２ａ，３２ｂが、それぞれ回転自在に支持されている。これらのかご側シーブ３２ａ，３２ｂは、乗りかご１０の重心に対して対称な位置に配置されている
本実施形態による非常用マシンルームレスエレベータは、平常時には、乗客の輸送や荷物の運搬に使う通常のエレベータとして利用される。この種のマシンルームレスエレベータは、機械室を設けておらず、巻上機や制御装置（いずれも後述する）が昇降路内に配置される。火災時の消化活動の際に、昇降路に落ちてくる消火用水が巻上機や制御装置にかかり、故障させるおそれがある。本実施形態では、万一、火災などの災害が発生した事態になっても、非常用のエレベータとして運転を確保できるように、次のような位置に巻上機２０が設置されるとともに、一対の下部そらせシーブ３５、３６が配置されている。
【００１７】
図１、図２に示されるように、昇降路の下部において、錘側ガイドレール１３には、巻上機支持ブラケット２４が取り付けられている。巻上機支持ブラケット２４には、巻上機２０が載置され固定されている。巻上機２０のメインシーブ２１は、乗りかご１０の側面側に向いて配置されている。このような巻上機２０の設置位置は、少なくとも最下階乗場の床面レベルよりも高い位置である。
【００１８】
図１、図２において、巻上機２０と向き合うように、エレベータの制御装置５０が、かご側ガイドレール１２、１２のうち、巻上機２０からは遠い方のかご側ガイドレール１２に支持されるようにして配置されている。制御装置５０についても、設置位置は、少なくとも最下階乗場の床面レベル１００よりも高い位置になっており、制御装置５０の下端は、参照番号１００で示す最下階の床面レベル１００より上位にある。
【００１９】
次に、図３は、本実施形態による非常用マシンルームレスエレベータにおける主ロープ２６のローピングを模式的に示す図である。図４は、昇降路を上から見た平面図である。以下、ローピングについて説明する。  
主ロープ２６のうち、乗りかご１０を懸架する部分と、釣合錘１４を懸架する部分とに分けて説明する。
【００２０】
乗りかご１０を懸架する部分は、次のようにローピングされている。  
巻上機２０のメインシーブ２１の下方には、下部そらせシーブ３５、３６が配置されており、メインシーブ２１には下から主ロープ２６が入ることになる。下部そらせシーブ３５から上部そらせシーブ３３に延びる主ロープ２６の部分は、上部そらせシーブ３３に巻き掛けられてから、下方に向かって延びてかご側シーブ３２ａ、３２ｂに巻き掛けられる。さらにこの主ロープ２６は、上方に向かって延び、ヒッチ部４１に係止される。このようにして、乗りかご２０は２：１ローピングで懸架されている。
【００２１】
他方、釣合錘１４を懸架する主ロープ２６の部分は、次のようにローピングされている。  
すなわち、メインシーブ２１から下方に延びる主ロープ２６の部分は、下部そらせシーブ３６に巻き掛けられてから、上方に延び、上部そらせシーブ３７に巻き付けられる。その後、主ロープ２６は、左右一対の錘側シーブ３８に巻き掛けられ、さらに、上方に延びてヒッチ部４２に係止されるようになっている。
【００２２】
このような主ロープ２６のローピングにおいて、昇降路の上部から乗りかご１０を見下ろすと、乗りかご１０を中心に、かご側シーブ３２ａ、３２ｂ、上部そらせシーブ３３、３７、錘側シーブ３８などの位置関係は、図４に示されるようになる。
【００２３】
図４において、紙面において乗りかご１０の下側がかごドアのある方である。乗りかご１０の一方の側面側にあるかご側シーブ３２ａの直上にヒッチ部４１が配置されている。他方の側面側にあるかご側シーブ３２ｂの上に上部そらせシーブ３３が配置されている。巻上機２０は上からみると、上部そらせシーブ３３、３７の間に配置されている。図４では図示されないが、図３の下部そられシーブ３５、３６は、上部そらせシーブ３３、３７の直下に位置していることになる。
【００２４】
次に、図５は、巻上機２０を防滴仕様にするために用いられる巻上機カバー２２を示す斜視図である。
【００２５】
この実施形態では、巻上機カバー２２は、上面部、左右の両側面部からなる箱状のカバーが用いられている。この実施形態では、巻上機カバー２２は、上面部、左右の両側面部からなる箱状のカバーが用いられている。巻上機２０の本体は、巻上機カバー２２によって三方を囲繞され、昇降路を上から落ちてくる水が本体にかからないように防護される。巻上機カバー２２の下部は開放されており、メインシーブ２１に巻き付く図示しない主ロープが通れるようになっている。
【００２６】
巻上機カバー２２を設置する場合、巻上機２０の本体に取り付けるのではなく、錘側ガイドレール１３に取り付けられている巻上機支持ブラケット２４に、巻上機カバー２２の下端部が固定されている。巻上機支持ブラケット２４には、樹脂やゴムからなるロープ緩衝部材２５が取り付けられている。図示しない主ロープは、ロープ緩衝部材２５の中を通ることで、巻上機支持ブラケット２４に直接接触して摩耗等が生じることが回避される。
【００２７】
なお、本実施形態では、図１に示されるように、下部そらせシーブ３５、３６を巻上機支持ブラケット３４を介して錘側ガイドレールに設置しているが、ピットの底部に着底している設置台を設けることにより、この設置台の上に下部そらせシーブ３５、３６を取り付けるようにすることも可能である。
【００２８】
本実施形態による非常用マシンルームレスエレベータは、以上のように構成されるものであり、次に、その作用および効果について説明する。  
万一、火災が発生した時には、エレベータの運転は非常時運転に切り替わり、乗客を非難させたり、消火活動に利用する非常用エレベータとして機能することになる。エレベータは、消火活動でも使用することになるが、巻上機２０の下に下部そらせシーブ３５、３６が配置されているので、主ロープ２６は、下から巻上機２０のメインシーブ２１に巻き付くようにローピングされている。これによって、主ロープ２６に付着した水の一部が巻上機２０に入り込むのを未然に防止することができる。
【００２９】
さらに、巻上機２０は、巻上機カバー２２によって囲繞されているので、昇降路の上から落ちてくる水から巻上機２０の本体は防護されることになる。
【００３０】
このようにマシンルームレスエレベータでありながら、上下方向から侵入してくる水から巻上機２０の水濡れを防護できることにより、非常用エレベータとしての機能を確実に維持させることができる。なお、エレベータの制御装置５０については、防滴仕様にして水に対して防護されているので、故障などのトラブルを未然に回避できる。
【００３１】
(第２実施形態)
次に、本発明の第２実施形態による非常用マシンルームレスエレベータについて、図６、図７参照しながら説明する。なお、図１乃至図５に示した第１実施形態と同一の構成要素には、同一の参照番号を付して、その詳細な説明は省略する。
【００３２】
この第２実施形態は、昇降路の最上階乗場近くに巻上機２０が設置されるとともに、エレベータの制御装置５０を巻上機２０の直上に設置するようにした実施の形態である。下部そらせシーブ３５、３６は、第1実施形態と同様に昇降路の下部に配置されており、ローピングは、図３に示したようになっている。
【００３３】
このような第２実施形態によっても、主ロープ２６が、下から巻上機２０のメインシーブ２２に巻き付くようにローピングされていることにより、主ロープ２６に付着した放水の一部が巻上機２０に入り込むのを未然に防止することができる点は第１実施形態と同様である。また、巻上機カバー２２によって上から落ちてくる水に対しても防滴構造になっている点も同様である。
【００３４】
そして、この第２実施形態のように、巻上機２０の直上に制御装置５０を配置することにより、制御装置５０は最上階の床面よりも高い位置に配置されるので、放水がかからないようにすることができる。また、巻上機２０と制御装置５０とを接続するケーブルの配線が容易になる利点もある。巻上機カバー２２は、錘ガイドレール１３に取り付けられている制御装置用ブラケット４０と一体構造にするとよい。これにより、巻上機カバー２２を補強することができる。
【００３５】
以上、本発明に係る非常用マシンルームレスエレベータについて、好適な実施形態を挙げて説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００３６】
１０…乗りかご、１２…かご側ガイドレール、１３…錘側ガイドレール、１４…釣合錘、  ２０…巻上機、２１…メインシーブ、２２…巻上機カバー、２５…ロープ緩衝部材、２６…主ロープ、３２ａ、３２ｂ…かご側シーブ、３３…上部そらせシーブ  、３５…下部そらせシープ、３６…下部そらせシーブ、３７…上部そらせシーブ、５０…制御装置
【図１】
2018144977.tif 000003
【図２】
2018144977.tif 000004
【図３】
2018144977.tif 000005
【図４】
2018144977.tif 000006
【図５】
2018144977.tif 000007
【図６】
2018144977.tif 000008
【図７】
2018144977.tif 000009
【手続補正書】
【提出日】平成30年4月17日(2018.4.17)
【手続補正１】
【補正対象書類名】明細書
【補正対象項目名】００１０
【補正方法】変更
【補正の内容】
【００１０】
前記の目的を達成するために、本発明の実施形態に係る非常用マシンルームレスエレベータは、機械室を有しないマシンルームレスエレベータにおいて、昇降路を昇降する乗りかごと、前記昇降路に少なくとも最下階の乗場床面よりも高い位置に配置される巻上機と、前記乗りかごの昇降に対応して昇降する釣合錘と、昇降路内で少なくとも最下階の乗場床面よりも高い位置に配置される制御装置と、前記昇降路内で下位に位置する一対の下部そらせシーブと上位に位置する一対の上部そらせシーブとからなる、そらせシーブと、上から落ちてくる水から前記巻上機を防護する巻上機カバーと、を備え、前記巻上機の下方に前記下部そらせシーブを配置し、前記巻上機のメインシーブに下方から主ロープを巻き掛けるようにしたことを特徴とするものである。
【手続補正２】
【補正対象書類名】特許請求の範囲
【補正対象項目名】全文
【補正方法】変更
【補正の内容】
【特許請求の範囲】
【請求項１】
機械室を有しないマシンルームレスエレベータにおいて、
昇降路を昇降する乗りかごと、
前記昇降路に少なくとも最下階の乗場床面よりも高い位置に配置される巻上機と、
前記乗りかごの昇降に対応して昇降する釣合錘と、
昇降路内で少なくとも最下階の乗場床面よりも高い位置に配置される制御装置と、
前記昇降路内で下位に位置する一対の下部そらせシーブと上位に位置する一対の上部そらせシーブとからなる、そらせシーブと、
上から落ちてくる水から前記巻上機を防護する巻上機カバーと、
を備え、
前記巻上機の下方に前記下部そらせシーブを配置し、前記巻上機のメインシーブに下方から主ロープを巻き掛けるようにしたことを特徴とする非常用マシンルームレスエレベータ。
【請求項２】
前記乗りかごを懸架する主ロープの部分は、前記巻上機のメインシーブ、前記下部そらせシーブの一方、上部そらせシーブの一方、かご側シーブの順に引き回され、前記釣合錘を懸架する主ロープの部分は、前記巻上機のメインシーブ、前記下部そらせシーブの他方、前記上部そらせシーブの他方、釣合錘の上部に設置した錘側シーブの順に引き回されることを特徴とする請求項１に記載の非常用マシンルームレスエレベータ。
【請求項３】
前記巻上機は、前記巻上機カバーとして、錘側ガイドレールに取り付けられる箱形の防滴用カバーによって覆われたことを特徴とする請求項１または２に記載の非常用マシンルームレスエレベータ。
【請求項４】
前記巻上機を支持するブラケットには、主ロープとの直接接触を防止する緩衝部材が取り付けられることを特徴とする請求項１に記載の非常用マシンルームレスエレベータ。
【請求項５】
前記巻上機の直上に前記制御装置が配置されたことを特徴とする請求項１または３に記載の非常用マシンルームレスエレベータ。
【請求項６】
前記防滴用カバーは、前記制御装置を設置するブラケットと一体構造であることを特徴とする請求項３に記載の非常用マシンルームレスエレベータ。
【請求項７】
前記巻上機は、前記錘側ガイドレールにブラケットを介して固定され、または、ピットの底面に設置される設置台を介して固定されることを特徴とする請求項３に記載の非常用マシンルームレスエレベータ。